(57)【特許請求の範囲】
【請求項１】
一部に電極を設け、水の付着により水変色像を形成する水変色層と、
内部に水を収容し、収容した水と接触可能に電極を設け、且つペン先より水が吐出可能な水変色具と、
前記水変色層に前記水変色具のペン先を接触させ、且つ前記水変色層に水変色像を形成することにより前記水変色層側の電極と前記水変色具側の電極とを通電状態とした際に、当該電極間の抵抗値に応じた周波数信号を発信する発信回路と、
前記周波数信号を音として出力するスピーカと、
を備えたことを特徴とする水変色発音玩具。
【請求項２】
前記水変色層の下面に前記電極を導電性材料により面状に設けた請求項１記載の水変色発音玩具。
【請求項３】
前記水変色層が、支持体上に低屈折率顔料をバインダ樹脂と共に分散状態に固着させた多孔質層よりなる請求項１または２に記載の水変色発音玩具。
【請求項４】
前記水変色層側の電極と前記水変色具側の電極との間の抵抗値が連続的に変化する際、その連続的に変化する抵抗値に応じて連続的に変化する周波数信号を発信回路から発信してなる請求項１乃至３のいずれかに記載の水変色発音玩具。
【発明の詳細な説明】
【０００１】
【発明の属する技術分野】
本発明は、水変色発音玩具に関する。
【０００２】
【従来の技術】
従来、例えば、実開平３−５５２９５号公報には、筆記すると同時に音が発生する画板が開示されているが、これは、「互いに近接配置されて対をなす接点用プリントパターンが適数上面の所定領域に形成され、上記各対をなす接点用プリントパターン間が電気的に短絡されることによりそれぞれ所定の音を発生せしめる電子回路が搭載されたプリント基板と、該プリント基板の上記接点用プリントパターンが形成された領域上に積層され、上記各対の接点用プリントパターンに対応する位置にそれぞれ透孔が設けられた絶縁材からなるスペーサシートと、該スペーサシート上に積層され、導電材からなり可撓性を有する導電シートと、該導電シート上に積層され、上面が筆記自在で、かつ、可撓性を有する筆記シートとを備えてなることを特徴とする画板。」であるため、複雑な構造を余儀なくされる。
【０００３】
また、従来、水筆紙等の水変色玩具は、遊び方法が水変色像を視覚する「お絵描き遊び」に限られていた。
【０００４】
【発明が解決しようとする課題】
本発明は、前記従来の問題点を解決し、水変色と共に音を発生し、さらに、水変色像の形状によって音が変化する、簡易な構造の水変色発音玩具を提供しようとするものである。
【０００５】
【課題を解決するための手段】
〔１〕 本発明の水変色発音玩具１は、一部に電極３１を設け、水の付着により水変色像７を形成する水変色層３と、内部に水８を収容し、収容した水８と接触可能に電極６１を設け、且つペン先６２より水８が吐出可能な水変色具６と、前記水変色層３に前記水変色具６のペン先６２を接触させ、且つ前記水変色層３に水変色像７を形成することにより前記水変色層３側の電極３１と前記水変色具６側の電極６１とを通電状態とした際に、当該電極３１，６１間の抵抗値に応じた周波数信号を発信する発信回路４と、前記周波数信号を音として出力するスピーカ５と、を備えたこと（請求項１）を要件とする。
【０００６】
（請求項１の作用）
水変色具６のペン先６２を水変色層３上面に接触させ、水変色具６から水変色層３上面に水８を吐出し水変色像７を得る。そして、水変色像７の水が水変色層３の電極３１に接触すると、前記水変色像７を介して、水変色層３の電極３１と水変色具６の電極６１とが接続される。前記電極３１と電極６１との間の抵抗値は、水変色像７の形状（長さや幅）によって変化する。
【０００７】
そして、前記発信回路４及びスピーカ５からなる構成により、電極３１，６１間の水変色像７の抵抗値の大小が、変化する音（例えば、音の高低の変化、音の大小の変化、音の音色の変化等）としてスピーカ５から出力される。
【０００８】
それにより、水変色像７を視覚すると同時に、水変色像７の形状の変化に応じて変化する音を得ることができ、玩具としての面白さが格段に向上する。
【０００９】
〔２〕 前記請求項１の水変色発音玩具１において、前記水変色層３の下面に前記電極３１を導電性材料により面状に設けたこと（請求項２）が好ましい。
【００１０】
（請求項２の作用）
水変色層３の下面に電極３１を面状に設けたことにより、水変色層３の広い範囲で水変色と発音を楽しむことができ、少なくとも水変色層３の下面に電極３１を設けた部分では、自由な水変色像７の形成と発音が得られる。
【００１１】
〔３〕 前記請求項１又は２の水変色発音玩具１において、前記水変色層３が、支持体３２上に低屈折率顔料をバインダ樹脂と共に分散状態に固着させた多孔質層よりなること（請求項３）が好ましい。
【００１２】
（請求項３の作用）
水変色具６のペン先６２が水変色層３に接触し且つ水変色層３が水の付着による吸水状態の場合、水変色層３が透明または半透明化し、水変色像７が現出すると共に、前記水変色像７の形状により異なる音が発生する。一方、水変色具６のペン先６２が水変色層３に非接触の場合または水変色層３が非吸水状態（乾燥状態）の場合、水変色層３の水変色像７が消失し、電極３１，６１間の通電状態が解除され、前記発音が停止される。
【００１３】
即ち、水変色具６による筆記の際に水変色と発音を同時に得ることができ、一方、水変色具６による非筆記の際には水変色の消失と発音の停止を同時に得ることができ、それにより、水変色と発音を繰り返し楽しむことができる。
【００１４】
〔４〕前記請求項１、２又は３の水変色発音玩具１において、前記水変色層３側の電極３１と前記水変色具６側の電極６１との間の抵抗値が連続的に変化する際、その連続的に変化する抵抗値に応じて連続的に変化する周波数信号を発信回路４から発信してなること（請求項４）が好ましい。
【００１５】
（請求項４の作用）
水変色具６により形成した水変色像７の形状が連続的（アナログ的）な変化に応じて、スピーカ５から発生する音が連続的（アナログ的）に変化するので、玩具として非常に面白いものとなる。
【００１６】
〔５〕 尚、前記水変色層３の低屈折率顔料は、例えば、微粒子状珪酸、バライト粉、沈降性硫酸バリウム、炭酸バリウム、沈降性炭酸カルシウム、石膏、クレー、タルク、アルミナホワイト、塩基性炭酸マグネシウム等が挙げられる。
【００１７】
尚、前記水変色層３のバインダ樹脂は、例えば、ウレタン樹脂、ナイロン樹脂等が挙げられる。
【００１８】
尚、前記水変色層３の支持体３２は、例えば、布帛、合成紙、フィルム、ゴム、レザー、ガラス、陶磁器、木材、石材、金属板等が挙げられる。前記支持体３２は、導電性材料よりなる場合、電極３１を兼ねることができる。
【００１９】
尚、前記電極３１，６１は、導電性材料であればよく、例えば、金属板、金属片、導電性繊維、導電性糸、導電性インキ等が挙げられる。また、前記電極３１は、水変色層３の下面に設ける構成の他、水変色層３の上面の一端部に設ける構成、あるいは水変色層３の上下面に交互に露出するよう導電性糸により縫着する構成でもよい。
【００２０】
【発明の実施の形態】
本発明の実施の形態を図面に従って説明する。
【００２１】
図１に本発明の一実施例を示す。本実施例の水変色発音玩具１は、水変色層３及び電極３１を有する水変色シート２と、電極６１を備えた水変色具６と、前記両方の電極３１，６１に接続された発信回路４と、前記発信回路４により作動するスピーカ５とからなる。
【００２２】
前記水変色シート２２は、低屈折率顔料（例えば、微粒子状珪酸）をバインダ樹脂と共に分散状態に固着した多孔質体よりなる水変色層３と、前記水変色層３の下面に形成される支持体３２（例えば、布帛）と、前記支持体３２の下面に形成される電極３１（例えば、厚み０．２ｍｍの金属板）とからなる。
【００２３】
前記水変色具６は、内部に水８が収容可能な本体６３と、多孔質材料または繊維材料よりなるペン先６２と、前記内部に収容された水８と接触可能な位置（例えば、本体６３内の水タンク内）に設けた電極６１とを備える。前記本体６３の開口部には着脱自在の蓋体６３ａを有し、そこより水が補充可能となる。前記蓋体６３ａは、ペン先６２が取り付けられ、本体６３からの脱着と共にペン先６２が脱着される
【００２４】
尚、ペン先６２は、多孔質材料または繊維材料以外にも、毛筆体や、外面または内面に毛細管力による水導出路を備えたプラスチック、金属、セラミック等からなるものであってもよい。また、ペン先６２は、先端に回転するボールを有するボールペンの形態であってもよい。また、前記電極６１は、ペン先６２の外面または内面に形成した水導出路に設けることもできる。
【００２５】
発信回路４は、トランジスタ４１（ｎｐｎ型）、トランス４２、コンデンサ４３、抵抗４４、直流電源４５（例えば電池）、及びスイッチ４６からなる。トランジスタ４１の入力側には、電極３１，電極６１、抵抗４４、直流電源４５、及びスイッチ４６が接続される。トランジスタ４１の出力側には、トランス４２及びコンデンサ４３が接続される。
【００２６】
前記発信回路４は、電極３１と電極６１の間の水変色像７の抵抗値に応じてトランス４２より周波数信号を発信するものであり、前記トランス４２の近傍には、スピーカ５が配置され、それにより、トランス４２からの周波数信号（発信信号）が音として出力される。
【００２７】
内部に水８を収容した水変色具６のペン先６２を水変色シート２の水変色層３上面に接触状態で筆記すると、水変色層３に水変色像７が得られると同時に、ペン先６２から吐出した水が、水変色層３の下面から支持体３２を透過して電極３１に接触し、前記水変色シート２の電極３１と水変色具６の電極６１とが水変色像７により通電状態となる。
【００２８】
そして、トランジスタ４１に入力電流が流れると共に、トランジスタ４１からの出力電流がトランス４２に流れ、トランス４２より周波数信号が発信され、その周波数信号がスピーカ５から音として出力される。
【００２９】
筆記時、水変色像７の形状が連続的に変化すると、それに伴い、電極３１，６１間の抵抗値、トランジスタ４１の入力電流、トランジスタ４１の出力電流、及びトランス４２の発信周波数が、連続的に変化する。そのため、水変色具６により形成した水変色像７の形状がアナログ的に変化するのに応じて、スピーカ５から発生する音（例えば、音の高低、音の大小、音の音色等）がアナログ的に変化するので、玩具としての面白さが倍増する。
【００３０】
本実施例において、電極３１，６１間に形成される水変色像７の形状が、短く且つ太幅の場合、電極３１，６１間の抵抗値は比較的小さい値となるため、大きな入力電流がトランジスタ４１に流れ、トランジスタ４１より比較的大きな出力電流がトランス４２に流れ、それにより、トランス４２から高い発信周波数が発信され、スピーカ５から比較的高い音が発生する。
【００３１】
逆に、本実施例において、水変色像７の形状が長く且つ細幅の場合、電極３１，６１間の抵抗値は比較的大きな値となるため、小さな入力電流がトランジスタ４１に流れ、トランジスタ４１より比較的小さな出力電流がトランス４２に流れ、それにより、トランス４２から低い発信周波数が発信され、スピーカ５から比較的低い音が発生する。
【００３２】
図２に水変色シート２の他の例を示す。前記実施例（図１）では、金属板よりなる電極３１を水変色層３の下面に設ける構成であるのに対し、本実施例（図２）は、導電性糸よりなる電極３１を、水変色層３の下面に支持体３２が配設された水変色シート２に縫着し、水変色シート２の上下面より交互に露出するようにした構成である。
【００３３】
【発明の効果】
請求項１の発明により、比較的簡易な構造であるにもかかわらず、水変色層の水変色像を視覚すると共に、水変色像の形状の変化に応じて音の変化を楽しむことができ、玩具としての面白さが格段に向上する。
【００３４】
請求項２の発明により、水変色層の広い範囲で水変色と発音を楽しむことができる。
【００３５】
請求項３の発明により、水変色と発音を繰り返し楽しむことができる。
【００３６】
請求項４の発明により、水変色像のアナログ的な変化に応じて、スピーカから発生する音がアナログ的に変化するので、玩具としての面白さが倍増する。
【図面の簡単な説明】
【図１】本発明の一実施例の説明図である。
【図２】電極を有する水変色シートの他の例を示す断面図である。
【符号の説明】
１ 水変色発音玩具
２ 水変色シート
３ 水変色層
３１ 電極
３２ 支持体
４ 発信回路
４１ トランジスタ
４２ トランス
４３ コンデンサ
４４ 抵抗
４５ 電池
４６ スイッチ
５ スピーカ
６ 水変色具
６１ 電極
６２ ペン先
６３ 本体
６３ａ 蓋体
７ 水変色像
８ 水
【図１】
0004532019.tif 000002
【図２】
0004532019.tif 000003